(57)【特許請求の範囲】
【請求項１】
放送番組を該放送番組の放送開始時から録画する自動録画手段と、
上記自動録画手段が上記放送番組を録画しているときに該放送番組の録画開始を指示する録画開始指示が与えられた場合、上記放送番組を上記録画開始指示が与えられた時点から録画する手動録画手段と、
上記自動録画手段が録画した上記放送番組、及び、上記手動録画手段が録画した上記放送番組の何れか一方の再生を指示する再生指示が与えられたときに、他方の再生が可能であることをユーザに通知する通知手段と、
上記自動録画手段が録画した上記放送番組、及び、上記手動録画手段が録画した上記放送番組のうち、ユーザが選択した方の放送番組を再生する再生手段と、を備えていることを特徴とする録画再生装置。
【請求項２】
上記自動録画手段は、上記手動録画手段が上記放送番組を録画している間、上記放送番組の録画を一時停止するものであり、
上記再生手段は、上記自動録画手段が録画した上記放送番組を再生することをユーザが選択した場合、上記自動録画手段が録画した上記放送番組と上記手動録画手段が録画した上記放送番組とをリレー再生するものである、
ことを特徴とする請求項１に記載の録画再生装置。
【請求項３】
上記再生手段によってリレー再生が行われるときに、上記自動録画手段が録画した上記放送番組に、上記手動録画手段が録画した上記放送番組を結合することにより、１つの放送番組を生成する結合手段を更に備えている、
ことを特徴とする請求項２に記載の録画再生装置。
【請求項４】
上記自動録画手段が録画した上記放送番組、又は、上記手動録画手段が録画した上記放送番組を削除対象とする削除指示が与えられたときに、削除対象となった方の上記放送番組を削除するか、上記自動録画手段が録画した上記放送番組及び上記手動録画手段が録画した上記放送番組の双方を削除するかの選択が可能であることをユーザに通知する削除通知手段と、
ユーザの指定に従って、上記自動録画手段が録画した上記放送番組及び上記手動録画手段が録画した上記放送番組のうち、削除対象となった方の上記放送番組のみを削除するか、又は、上記自動録画手段が録画した上記放送番組及び上記手動録画手段が録画した上記放送番組の両方を削除する削除手段と、を更に備えている、
ことを特徴とする請求項１から３の何れか１項に記載の録画再生装置。
【請求項５】
電子番組表に掲載された各放送番組がユーザの嗜好に合致している放送番組であるか否かを判定する判定手段を更に備え、
上記自動録画手段は、上記判定手段がユーザの嗜好に合致していると判定した放送番組を自動的に録画するものである、ことを特徴とする請求項１から４の何れか１項に記載の録画再生装置。
【請求項６】
放送番組を該放送番組の放送開始時から録画する自動録画ステップと、
上記自動録画ステップの実行中に上記放送番組の録画開始を指示する録画開始指示が与えられた場合、上記放送番組を上記録画開始指示が与えられた時点から録画する手動録画ステップと、
上記自動録画ステップにて録画した上記放送番組、及び、上記手動録画ステップにて録画した上記放送番組の何れか一方の再生を指示する再生指示が与えられたときに、他方の再生が可能であることをユーザに通知する通知ステップと、
上記自動録画ステップにて録画した上記放送番組、及び、上記手動録画ステップにて録画した上記放送番組のうち、ユーザが選択した方の放送番組を再生する再生ステップと、を含んでいることを特徴とする録画再生方法。
【請求項７】
請求項１から５までの何れか１項に記載の録画再生装置を備えたテレビジョン受像機であって、チューナが受信した放送番組を上記録画再生装置で録画することを特徴とするテレビジョン受像機。
【請求項８】
コンピュータを請求項１から５までの何れか１項に記載の録画再生装置として動作させるためのプログラムであって、上記コンピュータを上記録画再生装置の各手段として機能させるプログラム。
【請求項９】
請求項８に記載のプログラムが記録されているコンピュータ読み取り可能な記録媒体。
【発明の詳細な説明】
【技術分野】
【０００１】
本発明は、放送番組を録画／再生する録画再生装置および録画再生方法に関する。また、そのような録画再生装置を備えたテレビジョン受像機、そのような録画再生装置としてコンピュータを動作させるためのプログラム、及び、そのようなプログラムが記録されている記録媒体に関する。
【背景技術】
【０００２】
ＨＤドライブなどの記録媒体が大容量化したことに伴い、大量の放送番組を録画可能な録画再生装置が普及している。これらの録画再生装置では、手動録画（「一発録画」と呼称されることもある）や予約録画といった従来の録画手法に加え、ユーザの嗜好に合致した放送番組を自動的に録画する自動録画（「常連録画」と呼称されることもある）といった新しい録画手法による録画が可能である。自動録画によって、録画予約するために視聴したい番組を電子番組表から選択するといった手間をかけずに、自分の嗜好に合致した番組を放送終了後に楽しむことができる。
【０００３】
自動録画に関連する技術としては、例えば、特許文献１〜２に記載のものが知られている。特許文献１に記載の技術は、ユーザが視聴中の番組を自動録画しないようにするものである。特許文献２に記載の技術は、シリーズを構成する録画番組を視聴する際に、次回の放送番組が録画されていれば、それを容易に再生できるようにしたものである。
【先行技術文献】
【特許文献】
【０００４】
【特許文献１】特開２００５−２２３８０１号公報
【特許文献２】特開２００７−３００３７２号公報
【発明の概要】
【発明が解決しようとする課題】
【０００５】
自動録画を行なう録画再生装置においては、放送番組を自動録画しているときにその放送番組の録画開始を指示する録画開始指示が与えられることがある。このようなことが生じる場合としては、以下の２つのケースが想定される。第１のケースは、視聴中の放送番組が自動録画されていることを知らずに、ユーザが録画開始指示を与える場合である。このケースでは、視聴中の放送番組の全部を後から視聴することをユーザが望んでいる可能性が高い。第２のケースは、視聴中の放送番組が自動録画されていることを知りながら、ユーザが録画開始指示を与えるケースである。このケースでは、視聴中の放送番組の一部（敢えて録画開始指示を与えた後で放送される部分）を後から視聴することをユーザが望んでいる可能性が高い。
【０００６】
しかしながら、従来の録画再生装置は、単に、自動録画された放送番組と手動録画された放送番組の両方を記録しておくか、自動録画された放送番組と手動録画された放送番組との何れか一方を記録しておくだけである。後者の場合、上述した２つのニーズの何れかを満たすことができない。また、前者の場合、特に第１のケースではユーザのニーズを満たすことができない。なぜなら、ユーザは、放送番組が自動録画されていることを知らないので、自動録画された放送番組を最初から再生可能であることに気付けない。したがって、結局、手動録画した放送番組を途中から再生することしかできない。
【０００７】
本発明は上記の問題に鑑みてなされたものであり、その目的は、上述した２つのニーズに応える、従来よりも利便性の高い録画再生装置を実現することにある。
【課題を解決するための手段】
【０００８】
上記課題を解決するために、本発明に係る録画再生装置は、放送番組を該放送番組の放送開始時から録画する自動録画手段と、上記自動録画手段が上記放送番組を録画しているときに該放送番組の録画開始を指示する録画開始指示が与えられた場合、上記放送番組を上記録画開始指示が与えられた時点から録画する手動録画手段と、上記自動録画手段が録画した上記放送番組、及び、上記手動録画手段が録画した上記放送番組の何れか一方の再生を指示する再生指示が与えられたときに、他方の再生が可能であることをユーザに通知する通知手段と、上記自動録画手段が録画した上記放送番組、及び、上記手動録画手段が録画した上記放送番組のうち、ユーザが選択した方の放送番組を再生する再生手段と、を備えていることを特徴とする。
【０００９】
また、上記課題を解決するために、本発明に係る録画再生方法は、放送番組を該放送番組の放送開始時から録画する自動録画ステップと、上記自動録画ステップの実行中に上記放送番組の録画開始を指示する録画開始指示が与えられた場合、上記放送番組を上記録画開始指示が与えられた時点から録画する手動録画ステップと、上記自動録画ステップにて録画した上記放送番組、及び、上記手動録画ステップにて録画した上記放送番組の何れか一方の再生を指示する再生指示が与えられたときに、他方の再生が可能であることをユーザに通知する通知ステップと、上記自動録画ステップにて録画した上記放送番組、及び、上記手動録画ステップにて録画した上記放送番組のうち、ユーザが選択した方の放送番組を再生する再生ステップと、を含んでいることを特徴とする。
【００１０】
上記の構成によれば、自動録画した放送番組を再生することによって、放送番組の全部を後から視聴したいというユーザのニーズに応えることができる。また、手動録画した放送番組を再生することによって、放送番組の一部（録画開始指示を与えた後に放送される部分）を後から視聴したいというユーザのニーズに応えることができる。しかも、ユーザが自動録画された放送番組および手動録画された放送番組の何れか一方の再生を指示すると、録画再生装置が他方の再生が可能であることをユーザに通知するので、例えば、その放送番組が自動録画されたことを知らなかったユーザであっても、その放送番組を最初から再生することが可能になる。
【００１１】
本発明に係る録画再生装置において、上記自動録画手段は、上記自動録画手段が上記放送番組を録画している間、上記放送番組の録画を一時停止するものであり、上記再生手段は、上記自動録画手段が録画した上記放送番組を再生することをユーザが選択した場合、上記自動録画手段が録画した上記放送番組と上記手動録画手段が録画した上記放送番組とをリレー再生するものである、ことが望ましい。
【００１２】
上記の構成によれば、手動録画と自動録画とが重複して行われることによる記録容量の浪費をなくすことができる。
【００１３】
本発明に係る録画再生装置において、上記再生手段によってリレー再生が行われるときに、上記自動録画手段が録画した上記放送番組に、上記手動録画手段が録画した上記放送番組を結合することにより、１つの放送番組を生成する結合手段を更に備えていることが望ましい。
【００１４】
上記の構成によれば、手動録画で録画された放送番組と、自動録画で録画された放送番組とが別々に管理されることにより、ユーザが管理しなければならない放送番組の数が増えてしまうこと防ぐことができる。
【００１５】
本発明に係る録画再生装置において、上記自動録画手段が録画した上記放送番組、又は、上記手動録画手段が録画した上記放送番組を削除対象とする削除指示が与えられたときに、削除対象となった方の上記放送番組を削除するか、上記自動録画手段が録画した上記放送番組及び上記手動録画手段が録画した上記放送番組の双方を削除するかの選択が可能であることをユーザに通知する削除通知手段と、ユーザの指定に従って、上記自動録画手段が録画した上記放送番組及び上記手動録画手段が録画した上記放送番組のうち、削除対象となった方の上記放送番組のみを削除するか、又は、上記自動録画手段が録画した上記放送番組及び上記手動録画手段が録画した上記放送番組の両方を削除する削除手段と、を更に備えていることが望ましい。
【００１６】
上記の構成によれば、自動録画した放送番組又は手動録画した放送番組を削除することによって、放送番組の一部を残しつつ他の部分を削除したいというユーザのニーズに応えることができる。また、自動録画した放送番組（又は、手動録画した放送番組）を削除する際に、手動録画した放送番組（又は自動録画した放送番組）を併せて削除することによって、一度の操作で自動録画した放送番組及び手動録画した放送番組の双方を削除したいというユーザのニーズに応えることができる。
【００１７】
上記課題を解決するために、本発明に係る録画再生装置は、放送番組を該放送番組の放送開始時から録画する自動録画手段と、上記自動録画手段が上記放送番組を録画しているときに上記放送番組の録画開始を指示する録画開始指示が与えられた場合、上記録画開始指示が与えられた時刻を記録する記録手段と、上記放送番組の再生を指示する再生指示が与えられたときに、上記放送番組を上記録画開始指示が与えられた時点で録画された箇所から再生可能であることをユーザに通知する通知手段と、上記放送番組を上記録画開始指示が与えられた時点で録画された箇所から再生することをユーザが選択した場合、上記記録手段が記録した時刻を参照することによって上記放送番組を上記録画開始指示が与えられた時点で録画された箇所から再生する再生手段と、を備えていることを特徴とする。
【００１８】
また、上記課題を解決するために、本発明に係る録画再生方法は、放送番組を上記放送番組の放送開始時から録画する自動録画ステップと、上記自動録画ステップの実行中に上記放送番組の録画開始を指示する録画開始指示が与えられた場合、上記録画開始指示が与えられた時刻を記録する記録ステップと、上記放送番組の再生を指示する再生指示が与えられたときに、上記放送番組を上記録画開始指示が与えられた時点で録画された箇所から再生可能であることをユーザに通知する通知ステップと、上記放送番組を上記録画開始指示が与えられた時点で録画された箇所から再生することをユーザが選択した場合、上記記録ステップにて記録した時刻を参照することによって上記放送番組を上記録画開始指示が与えられた時点で録画された箇所から再生する再生ステップと、を含んでいることを特徴とする。
【００１９】
上記の構成によれば、自動録画した放送番組を最初から再生することによって、放送番組の全部を後から視聴したいというユーザのニーズに応えることができる。また、自動録画した放送番組を録画開始指示が与えられた時点で録画された箇所から再生することによって、放送番組の一部を後から視聴したいというユーザのニーズに応えることができる。自動録画した放送番組に手動録画の録画開始指示が与えられた時刻を記録しているので、手動録画と自動録画とが重複して行われることによる記録容量の浪費をなくすことができる。
【００２０】
本発明に係る録画再生装置において、録画された上記放送番組の削除を指示する削除指示が与えられたときに、録画された上記放送番組の全体を削除するか、録画された上記放送番組のうち上記記録手段が記録した時刻以前に録画された部分のみを削除するかの選択が可能であることをユーザに通知する削除通知手段と、ユーザの指定に従って、録画された上記放送番組の全体を削除するか、又は、録画された上記放送番組のうち上記記録手段が記録した時刻以前に録画された部分のみを削除する削除手段と、を更に備えていることが望ましい。
【００２１】
上記の構成によれば、自動録画した放送番組又は手動録画した放送番組を削除することによって、放送番組の一部を残しつつ他の部分を削除したいというユーザのニーズに応えることができる。また、自動録画した放送番組（又は、手動録画した放送番組）を削除する際に、手動録画した放送番組（又は自動録画した放送番組）を併せて削除することによって、一度の操作で放送番組を全て削除したいというユーザのニーズに応えることができる。
【００２２】
本発明に係る録画再生装置は、電子番組表に掲載された各放送番組がユーザの嗜好に合致している放送番組であるか否かを判定する判定手段を更に備え、上記自動録画手段は、上記判定手段がユーザの嗜好に合致していると判定した放送番組を自動的に録画するものである、ことが望ましい。
【００２３】
上記の構成によれば、録画予約するために視聴したい放送番組を電子番組表から選択するといった手間をかけずに、自分の嗜好に合致した番組を放送終了後に楽しむことができる。
【００２４】
なお、上記録画再生装置を備え、チューナが受信した放送番組を上記録画再生装置で録画するテレビジョン受像機も本発明の範疇に入る。
【００２５】
また、本発明の目的は、コンピュータを上記録画再生装置として動作させるためのプログラムによっても達成することができる。そして、そのようなプログラム自体のみならず、そのようなプログラムが記録されているコンピュータ読み取り可能な記録媒体も本発明の範疇に入る。
【発明の効果】
【００２６】
本発明によれば、放送番組を自動録画しているときに該放送番組の録画開始を指示する録画開始指示が与えることによって、その放送番組の全部を後から再生すること、及び、その放送番組の一部（録画開始指示を与えた後で放送される部分）を後から再生することができる。すなわち、録画した放送番組をユーザのニーズに合わせて再生することができるという効果を奏する。
【図面の簡単な説明】
【００２７】
【図１】本発明の実施形態に係るテレビの構成を示すブロック図である。
【図２】図１に示すテレビが表示する電子番組表を示す図である。
【図３】図１に示すテレビの動作を示すタイミングチャートであり、自動録画中の推奨番組の手動録画がユーザによって指示された場合の自動録画期間と手動録画期間とを示すタイミングチャートである。
【図４】各録画番組のタイトルを一覧表示するときの録画番組リストであり、（ｂ）は、自動録画された各録画番組のタイトルを一覧表示するときの録画番組リストである。
【図５】図１に示すテレビが表示するダイアログを示す図である。（ａ）は、手動録画された録画番組の中から再生対象とする番組が選択された場合に表示するダイアログであり、（ｂ）自動録画された録画番組の中から再生対象とする番組が選択された場合に表示するダイアログである。
【図６】図１に示すテレビが録画番組を再生する再生方法を示すフローチャートである。
【図７】図３に示すタイミングチャートの第１の変形例を示す図である。
【図８】図６に示すフローチャートのステップＳ６の、図７のタイミングチャートに好適な構成例を示すフローチャートである。
【図９】図３に示すタイミングチャートの第２の変形例を示す図である。
【図１０】図６に示すフローチャートのステップＳ５の、図９のタイミングチャートに好適な構成例を示すフローチャートである。
【発明を実施するための形態】
【００２８】
本発明の一実施形態に係る録画再生装置について、図面に基づいて説明すれば以下のとおりである。なお、本実施形態に係る録画再生装置は、録画機能および再生機能の他に受信／再生／表示機能を有するテレビジョン受像機として実現されているので、以下ではこれを「テレビ」と呼ぶ。ただし、本発明の適用範囲は、録画機能および再生機能を有する録画再生装置一般に及ぶものであって、テレビに限定されるものではない。
【００２９】
（テレビの構成）
図１は、テレビ１の構成を示すブロック図である。テレビ１は、図１に示すように、外部入力端子１０１、地上デジタル放送チューナ１０２、衛星放送チューナ１０３、録画再生部１０４、ＢＤドライブ１０５、映像セレクタ１０６、映像処理回路１０７、ＯＳＤ（On-Screen Display）生成部１０８、ＬＣＤ（Liquid Crystal Display）コントローラ１０９、ＬＣＤ１１０、音声セレクタ１１１、音声処理回路１１２、アンプ１１３、スピーカ１１４、ＵＳＢ（Universal Serial Bus）インターフェース１１５、ＲＯＭ１１６、ＲＡＭ１１７、ＣＰＵ１１８、赤外線受光部１１９、カメラ１２０、および、ＨＤドライブ１２１を備えている。図１においては、映像信号の経路を実線で、音声信号の経路を１点鎖線で、データや制御信号の経路（バス）を太線で示している。
【００３０】
外部入力端子１０１は、映像入力端子１０１ａと音声入力端子１０１ｂとを含む。映像入力端子１０１ａは、映像信号を入力するためのものであり、例えば、ＤＶＩ端子である。音声入力端子１０１ｂは、音声信号を入力するためのものであり、例えば、Ｓ／ＰＤＩＦ端子である。ただし、外部入力端子１０１は、これに限定されず、映像入力端子１０１ａと音声入力端子１０１ｂとが一体化されたＨＤＭＩ端子などであってもよい。
【００３１】
地上デジタル放送チューナ１０２は、地上デジタル放送により放送される放送番組を受信するためのチューナである。地上デジタル放送チューナ１０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００３２】
地上デジタル放送チューナ１０２により復調されたＭＰＥＧ２ストリームは、バスを介して録画再生部１０４に供給される。また、地上デジタル放送チューナ１０２により復号された映像信号および音声信号は、それぞれ、映像セレクタ１０６および音声セレクタ１１１に供給さる。なお、地上デジタル放送チューナ１０２が何れのチャンネルを復調対象として選択するかは、ＣＰＵ１１８により制御される。
【００３３】
なお、地上デジタル放送チューナ１０２は、異なるチャンネルを介して放送される２つのＭＰＥＧ２ストリームを同時に復調することが可能なダブルチューナであることが好ましい。この場合、地上デジタル放送チューナ１０２は、選局対象チャンネルとして選択した第１のチャンネルを介して放送されるＭＰＥＧ２ストリームを録画再生部１０４に供給すると共に、そのＭＰＥＧ２ストリームから復号した映像信号および音声信号を映像セレクタ１０６および音声セレクタ１１１に供給する。また、地上デジタル放送チューナ１０２は、録画対象チャンネルとして選択した第２のチャンネルを介して放送されるＭＰＥＧ２ストリームを録画再生部１０４に供給する。
【００３４】
もちろん、本発明に係る地上デジタル放送チューナ１０２は、ダブルチューナに限定されるものではなく、例えば、シングルチューナであってもよく、３つ以上のチューナを備える複数のチューナであってもよい。地上デジタル放送チューナ１０２がシングルチューナである場合には、ユーザが放送番組を視聴していないときに限って、放送番組を表すＭＰＥＧ２ストリームを録画再生部１０４に供給することができる。また、地上デジタル放送チューナ１０２が複数のチューナによって構成される場合には、チャンネル毎、放送波毎、又は、視聴者毎（例えば、お父さん、お母さん、及び、子供など）に、異なるチャンネルを介して放送される放送番組を表すＭＰＥＧ２ストリームを録画再生部１０４に供給することができる。
【００３５】
衛星放送チューナ１０３は、衛星放送により放送される放送番組を受信するためのチューナである。衛星放送チューナ１０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００３６】
衛星放送チューナ１０３により復調されたＭＰＥＧ２ストリームは、録画再生部１０４に供給される。また、衛星放送チューナ１０３により復号された映像信号および音声信号は、それぞれ、映像セレクタ１０６および音声セレクタ１１１に供給さる。なお、衛星放送チューナ１０３が何れのチャンネルを介して伝送されるＭＰＥＧ２データストリームを復調するかは、ＣＰＵ１１８により選択される。
【００３７】
なお、本実施形態における衛星放送チューナ１０３は、地上デジタル放送チューナ１０２と同様、異なるチャンネルを介して放送される２つの放送番組を同時に受信することが可能なダブルチューナであることが好ましい。
【００３８】
録画再生部１０４は、録画部１０４ａと再生部１０４ｂとを含む。録画部１０４ａは、地上デジタル放送チューナ１０２および衛星放送チューナ１０３の何れかからＭＰＥＧ２ストリームを取得し、取得したＭＰＥＧ２ストリームを記録装置に書き込む。録画部１０４ａは、テレビ１に内蔵されたＢＤドライブ１０５、テレビ１に内蔵されたＨＤドライブ１２１、および、ＵＳＢインターフェース１１５に接続されたＨＤドライブ２を、ＭＰＥＧ２ストリームを記録するための記録装置として利用することができる。再生部１０４ｂは、記録装置からＭＰＥＧ２ストリームを読み出し、読み出したＭＰＥＧ２ストリームから映像信号および音声信号を復号する。再生部１０４ｂにより復号された映像信号および音声信号は、それぞれ、映像セレクタ１０６および音声セレクタ１１１に供給される。
【００３９】
映像セレクタ１０６には、上述した４種類の映像信号が供給される。すなわち、（１）外部入力端子１０１（特に映像入力端子１０１ａ）から入力された映像信号、（２）地上デジタル放送チューナ１０２にて復号された映像信号、（３）衛星放送チューナ１０３にて復号された映像信号、および、（４）録画再生部１０４（特に再生部１０４ｂ）にて復号された映像信号が入力される。映像セレクタ１０６は、上記（１）〜（４）の映像信号のうちの何れか１つを選択する。映像セレクタ１０６によって選択された映像信号は、映像処理回路１０７に供給される。なお、映像セレクタ１０６が何れの映像信号を選択するかは、ＣＰＵ１１８によって制御される。
【００４０】
映像処理回路１０７は、映像セレクタ１０６から供給された映像信号に画質調整処理を施す。また、映像処理回路１０７は、映像セレクタ１０６から供給された映像信号にスケーリング処理を施す。ここで、画質調整処理とは、例えば、映像信号を加工することによって、その映像信号が表す映像の輝度、シャープネス、および、コントラストの少なくとも何れかを変更することを指す。また、スケーリング処理とは、映像信号を加工することによって、その映像信号が表す映像のサイズを相似拡大または相似縮小することを指す。映像処理回路１０７によって加工された映像信号は、ＬＣＤコントローラ１０９に供給される。なお、映像処理回路１０７が画質およびサイズをどのように変更するかは、ＣＰＵ１１８によって制御される。
【００４１】
ＯＳＤ生成部１０８は、ＣＰＵ１１８から供給されたＯＳＤデータからＯＳＤ画像を生成（レンダリング）する。ＯＳＤ生成部１０８が生成するＯＳＤ画像としては、後述する電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７から供給された映像信号に重畳され、ＬＣＤコントローラ１０９に供給される。
【００４２】
ＬＣＤコントローラ１０９は、映像処理回路１０７から供給された映像信号に基づいて、その映像信号が表す映像を表示するようにＬＣＤ１１０を駆動する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する。
【００４３】
音声セレクタ１１１には、上述した４種類の音声信号が供給される。すなわち、（１）外部入力端子１０１（特に音声入力端子１０１ｂ）から入力された音声信号、（２）地上デジタル放送チューナ１０２にて復号された音声信号、（３）衛星放送チューナ１０３にて復号された音声信号、および、（４）録画再生部１０４（特に再生部１０４ｂ）にて復号された音声信号が入力される。音声セレクタ１１１は、上記（１）〜（４）の音声信号のうちの何れか１つを選択する。
【００４４】
音声セレクタ１１１によって選択された音声信号は、音声処理回路１１２に供給される。なお、音声セレクタ１１１が何れの音声信号を選択するかは、ＣＰＵ１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００４５】
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどのように変更するかは、ＣＰＵ１１８によって制御される。
【００４６】
アンプ１１３は、音声処理回路１１２から供給された音声信号に基づいて、その音声信号が表す音声を出力するようにスピーカ１１４を駆動する。
【００４７】
ＣＰＵ１１８は、赤外線受光部１１９が受信したリモコン信号、および、カメラ１２０が撮像した画像に応じて上記各部を制御する。赤外線受光部１１９を用いた制御としては、例えば、地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。また、カメラ１２０を用いた制御としては、例えば、映像処理回路１０７にて画質をどのように調整するかを、撮像した画像に基づいて特定した視聴者に応じて切り替える制御などが挙げられる。
【００４８】
また、ＣＰＵ１１８は、各放送局から提供されるＥＰＧ（Electronic Program Guide）データから放送番組テーブルを作成する機能、および、放送番組テーブルと視聴履歴とから推奨番組テーブルを作成する機能を有している。ＣＰＵ１１８によって作成される放送番組テーブルと推奨番組テーブルとについては、参照する図面を代えて後述する。なお、各放送局から提供されるＥＰＧデータは、例えば、地上デジタル放送チューナ１０２又は衛星放送チューナ１０３を用いて取得してもよいし、図示しないイーサーネット（登録商標）インターフェースを介して、インターネットに接続されたサーバから取得してもよい。
【００４９】
ＲＯＭ１１６は、ＣＰＵ１１８によって実行されるプログラムなどの固定データが格納される、読み出し可能かつ書き込み不能なメモリである。一方、ＲＡＭ１１７は、ＣＰＵ１１８が演算のために参照するデータや、ＣＰＵ１１８が演算によって生成したデータなどの可変データが格納される、読み出し可能かつ書き込み可能なメモリである。例えば、放送番組テーブルおよび推奨番組テーブルは、このＲＡＭ１１７に格納される。
【００５０】
ＵＳＢインターフェース１１５は、ＵＳＢ機器をテレビ１に接続するためのインターフェースである。テレビ１に接続可能なＵＳＢ機器としては、ＨＤ（ハードディスク）ドライブなどの記録装置が代表的である。本実施形態においては、図１に示すように、ＵＳＢインターフェース１１５にＨＤドライブ２が接続されていることを仮定する。
【００５１】
なお、本実施形態においては、テレビ１に内蔵されたＨＤドライブ１２１（内蔵ＨＤドライブ）、ＵＳＢインターフェース１１５に接続されたＨＤドライブ２（外付ＨＤドライブ）、および、テレビ１に内蔵されたＢＤドライブ１０５（内蔵ＢＤドライブ）を、録画番組の蓄積に利用する構成を採用しているが、本発明はこれに限定されない。また、テレビ１にＢＤドライブがＵＳＢ接続されている場合、このＢＤドライブ（外付ＢＤドライブ）を録画番組の蓄積に利用してもよい。また、ＢＤドライブ以外の光ディスクドライブがＵＳＢ接続されている場合、この光ディスクドライブを記録媒体を録画番組の蓄積に利用してもよいし、ＵＳＢフラッシュメモリなどの記録媒体を録画番組の蓄積に利用してもよい。要するに、記録媒体は、録画番組を蓄積が可能であれば、何を用いてもよい。
【００５２】
また、録画番組の蓄積に利用する外部記録装置（本実施形態においてはＨＤドライブ２）を接続するためのインターフェースも、ＵＳＢインターフェース１１５に限定されない。すなわち、ＵＳＢインターフェース１１５は、例えば、ＡＴＡ（Advanced Technology Attachment）、ＡＴＡＰＩ（ATA Packet Interface）、ＩＥＥＥ１３９４、ＨＤＭＩ（High-Definition Multimedia Interface）、および、ＬＡＮなどの有線接続用インターフェース、あるいは、ＩＥＥＥ８０２１１などの無線接続用インターフェースに置換することが可能である。ＳＤカードが接続されている場合には、このＳＤカードを録画番組の蓄積に利用してもよい。要するに、外部記録装置を接続するためのインターフェースは、録画番組を伝送可能なものであれば、何を用いてもよい。
【００５３】
また、本実施形態においては、地上デジタル放送の方式として、ＭＰＥＧ２ストリームを多重化する方式（米国におけるＡＴＳＣ方式や日本におけるＩＳＤＢ−Ｔ方式など）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用することができる。後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００５４】
（電子番組表）
次に、テレビ１がＬＣＤ１１０に表示する電子番組表について、図２を参照して説明する。図２は、テレビ１がＬＣＤ１１０に表示する電子番組表３０を示した図である。電子番組表３０は、放送中および放送予定の放送番組を一覧表示する放送番組欄３１に、放送中および放送予定の番組の中からテレビ１が選択した推奨番組を一覧表示する推奨番組欄３２を付加したものである。
【００５５】
放送番組欄３１は、各チャンネルＡ〜Ｅに対応する複数の列３１ａ〜３１ｅにより構成される。これらの列３１ａ〜３１ｅの各々には、そのチャンネルを介して放送される各放送番組を表すセルが時間軸に沿って配列される。例えば、第１の列３１ａには、チャンネルＡを介して放送される各放送番組を表すセルａ１〜ａ３が時間軸に沿って配列され、第２の列３１ｂには、チャンネルＢを介して放送される各放送番組を表すセルｂ１〜ｂ３が時間軸に沿って配列される。放送番組欄３１を構成する各セルには、対応する放送番組に関するメタ情報（タイトル、ジャンル、内容等）が表示される。
【００５６】
推奨番組欄３２は、各推奨番組を表すセルｒ１〜ｒ３が時間軸に沿って配列された１つの列により構成される。推奨番組欄３２を構成する各セルには、放送番組欄３１を構成する各セルと同様、対応する推奨番組に関するタイトル、ジャンル、内容等のメタ情報が表示される。ここで、推奨番組とは、視聴者の嗜好に合致した放送番組として、放送番組欄３１に掲載された放送番組の中からテレビ１が選択した番組のことを指す。図２に示す例では、チャンネルＡで１９時００分から１９時３０分まで放送される放送番組、チャンネルＣで２０時００分から２０時４５分まで放送される放送番組、および、チャンネルＢで２１時００分から２２時００分まで放送される放送番組が選択され、これらの放送番組が、それぞれ、セルＲ１〜Ｒ３に推奨番組として掲載されている。なお、推奨番組は、「常連番組」と呼称されることもある。
【００５７】
テレビ１が推奨番組を選択する方法としては、例えば、以下の（１）又は（２）の方法が挙げられる。ただし、テレビ１が推奨番組を選択する方法は、（１）又は（２）の方法に限定されず、他の公知の方法に置換してもよい。
【００５８】
（１）放送番組欄３１に掲載された各放送番組について、その放送番組が前週視聴した番組であるか否かを判定する。そして、前週視聴した番組であると判定した放送番組を、推奨番組として選択する。ここで、放送チャンネルがｘ、放送日がｙ曜日、放送開始時刻がｔ１、放送終了時刻がｔ２である放送番組が前週視聴した番組であるか否かは、例えば、前週ｙ曜日の時刻ｔ１から時刻ｔ２までの間にチャンネルｘが選局されていた時間ｔが放送時間（ｔ２−ｔ１）の半分以上を占めるか否かによって判定することができる。なお、ここでは、１週前に視聴した番組を推奨番組とする放送を説明したが、１週前に視聴した番組に加え、２週前に視聴した番組、３週前に視聴した番組、…、および、Ｎ週前に視聴した番組（すなわち、Ｎ週間前までに視聴した放送番組）を推奨番組とする方法を採用してもよい。
【００５９】
（２）放送番組欄３１に掲載された各放送番組について、その放送番組の放送チャンネルの視聴頻度、および、その放送番組のジャンルの視聴頻度に応じたスコアを算出する。そして、各時間帯（例えば、０時００分〜１時００分、１時００分〜２時００分、…、および、２３時００分〜２４時００分の各々）において放送される放送番組の中で最もスコアが高い放送番組を推奨番組として選択する。ここで、放送チャンネルがｘ、ジャンルがｚである放送番組のスコアは、例えば、チャンネルｘの視聴頻度とジャンルｚの視聴頻度との平均を取ることにより算出することができる。チャンネルｘの視聴頻度は、所定の期間内（例えば最近１週間）に視聴した番組の総数をＭ、そのうち放送チャンネルがｘである番組の数をＫとすると、例えば、Ｋ／Ｎにより算出することができる。また、ジャンルｚの視聴頻度は、所定の期間内（例えば最近１週間）に視聴した番組の総数をＭ、そのうちジャンルがｚである番組の数をＬとすると、例えば、Ｌ／Ｎにより算出することができる。
【００６０】
このような電子番組表３０の表示を実現するために、テレビ１のＣＰＵ１１８は、ＥＰＧデータから放送番組テーブルを作成し、作成した放送番組テーブルをＲＡＭ１１７に格納する。ここで、放送番組テーブルは、電子番組表３０の放送番組欄３１をコンピュータ読み取り可能なテーブルデータとして表現したものである。また、テレビ１のＣＰＵ１１８は、視聴履歴と放送番組テーブルとから推奨番組テーブルを作成し、作成した推奨番組テーブルをＲＡＭ１１７に格納する。ここで、推奨番組テーブルは、電子番組表３０の推奨番組欄３２をコンピュータ読み取り可能なテーブルデータとして表現したものである。
【００６１】
推奨番組テーブルの例を下表に示す。下表に示すように、推奨番組テーブルには、各推奨番組ついて、（１）その番組ＩＤ、（２）その放送開始時刻、（３）その放送終了時刻、（４）その放送チャンネル、および、（５）そのメタ情報が登録されている。なお、下表において、メタ情報ｘｘｘは、電子番組表３０の対応するセルｒ１内に表示される、タイトル、ジャンル、内容等のメタ情報を表す。
【００６２】
【表１】
0005636245.tif 000002
【００６３】
ＣＰＵ１１８は、電子番組表３０の表示を指示するユーザ操作を受け付けると、ＲＡＭ１１７に格納された放送番組テーブルと推奨番組テーブルとから電子番組表３０を表すＯＳＤデータを作成し、作成したＯＳＤデータをＯＳＤ生成部１０８に提供する。ＯＳＤ生成部１０８は、このＯＳＤデータから電子番組表３０（ＯＳＤ画像）をレンダリングする。このようにして、電子番組表３０の表示が実現される。
【００６４】
また、テレビ１は、推奨番組を自動的に選局する推奨番組選局機能、および、推奨番組を自動的に録画する推奨番組録画機能を有している。推奨番組選局機能および推奨番組録画機能は、以下に説明するように、上述した推奨番組テーブルに基づいて実現される。なお、推奨番組選局機能および推奨番組録画機能は、それぞれ、「常連番組選局」機能および「常連録画」機能と呼ばれることもある。
【００６５】
ユーザによって、リモコンに備えられている、テレビ１の推奨番組選局機能を有効にするボタン（以降、推奨番組選局ボタンと呼称する）が押されると、テレビ１は、推奨番組選局機能を有効にする。推奨番組選局機能を実現するために、ＣＰＵ１１８は、地上デジタル放送チューナ１０２の選局対象チャンネルを推奨番組テーブルに基づいて切り替える。具体的には、推奨番組テーブルに登録された各推奨番組の放送開始時刻と現在時刻ｔとを定期的に比較する。そして、現在時刻ｔがある推奨番組の放送開始時刻に達した時点で、地上デジタル放送チューナ１０２の選局対象チャンネルを、その推奨番組の放送チャンネルに切り替える。
【００６６】
表１に示した例に即して言うと、１９時００以降、推奨番組選局機能が有効化されて続けている場合、ＣＰＵ１１８は、１９時００分になったら地上デジタル放送チューナ１０２の選局対象チャンネルをチャンネルＡに切り替え、２０時００分になったら地上デジタル放送チューナ１０２の選局対象チャンネルをチャンネルＣに切り替え、２１時００分になったら地上デジタル放送チューナ１０２の選局対象チャンネルをチャンネルＢに切り替える。これにより、推奨番組テーブルに登録された各推奨番組が自動的に選局される。
【００６７】
また、１９時００分〜１９時３０分の間にリモコンの自動選局ボタンがおされ、推奨番組選局機能が有効化された場合には、ＣＰＵ１１８は、推奨番組選局機能が有効化された時点で地上デジタル放送チューナ１０２の選局対象チャンネルをチャンネルＡに切り替える。また、ＣＰＵ１１８は、２０時００分〜２０時４５分の間にリモコンの自動選局ボタンがおされ、推奨番組選局機能が有効化された場合には、推奨番組選局機能が有効化された時点で地上デジタル放送チューナ１０２の選局対象チャンネルをチャンネルＣに切り替える。さらに、ＣＰＵ１１８は、２１時００分〜２２時００分の間にリモコンの自動選局ボタンがおされ、推奨番組選局機能が有効化された場合には、推奨番組選局機能が有効化された時点で地上デジタル放送チューナ１０２の選局対象チャンネルをチャンネルＢに切り替える。
【００６８】
なお、自動選局モードは、１つの推奨番組が終了した時点で終了する構成を採用してもよいし、リモコンの自動選局解除ボタンが押されるまで継続される構成を採用してもよい。
【００６９】
また、推奨番組録画機能を実現するために、ＣＰＵ１１８は、地上デジタル放送チューナ１０２の録画対象チャンネルを推奨番組テーブルに基づいて切り替えると共に、録画部１０４ａに自動録画開始指示および自動録画停止指示を与える。より具体的に言うと、ＣＰＵ１１８は、推奨番組テーブルに登録された各推奨番組の放送開始時刻と現在時刻ｔとを定期的に比較する。そして、現在時刻ｔがある推奨番組の放送開始時刻に達した時点で、録画部１０４ａに自動録画開始指示を与える。また、現在時刻ｔがその推奨番組の放送終了時刻に達した時点で、録画部１０４ａに自動録画停止指示を与える。
【００７０】
表１に示した例に即して言えば、ＣＰＵ１１８は、１９時００分になったら、録画部１０４ａに自動録画開始指示を与える。そして、１９時３０分になったら、録画部１０４ａに自動録画停止指示を与える。また、ＣＰＵ１１８は、２０時００分になったら、録画部１０４ａに自動録画開始指示を与える。そして、２０時４５分になったら、録画部１０４ａに自動録画停止指示を与える。また、ＣＰＵ１１８は、２１時００分になったら、録画部１０４ａに自動録画開始指示を与える。そして、２１時００分になったら、ＣＰＵ１１８は、録画部１０４ａに自動録画停止指示を与える。これにより、推奨番組テーブルに登録された各推奨番組が自動的に録画される。
【００７１】
なお、録画部１０４ａは、自動録画する推奨番組を表すＭＰＥＧ２ストリームを、ＨＤドライブ１２１に設けられた自動録画用ディレクトリに書き込むように設定されている。また、録画部１０４ａは、手動録画する放送番組を表すＭＰＥＧ２ストリームを、ＨＤドライブ１２１に設けられた手動録画用ディレクトリに書き込むように設定されている。つまり、自動録画された推奨番組を表すＭＰＥＧ２データは、ＨＤドライブ１２１の自動録画用ディレクトリに格納され、手動録画された放送番組を表すＭＰＥＧ２データは、ＨＤドライブ１２１の手動録画用ディレクトリに格納される。
【００７２】
ここで、手動録画とは、ユーザにより指定された期間に渡って、ユーザにより選択されたチャンネルにて放送される放送番組を録画する録画態様のことを指す。本実施形態においては、リモコンの録画開始ボタン（ＲＥＣボタン）が押下されてから、リモコンの録画停止ボタン（ＳＴＯＰボタン）が押下されるまでの期間、選局対象チャンネルとして選択されたチャンネルにて放送される放送番組を録画することによって、手動録画が実現される。すなわち、手動録画においては、録画開始ボタンの押下によって録画期間の始期が指定され、録画停止ボタンの押下によって録画期間の終期が指定される。また、録画開始ボタンの押下に先行して行われる、リモコンの選局ボタン（テンキーまたはチャンネルアップ／ダウンボタン）の押下によって、録画対象チャンネルが指定される。
【００７３】
（録画機能）
テレビ１は、上述したように、地上デジタル放送チューナ１０２および衛星放送チューナ１０３が受信した放送番組を録画する録画機能を有している。以下、テレビ１が有する録画機能について、図１および図３を参照して説明する。なお、以下では、地上デジタル放送チューナ１０２が受信した放送番組を録画する録画機能について説明するが、衛星放送チューナ１０３が受信した放送番組を録画する録画機能についても同様に実現することができる。
【００７４】
図１に示すように、録画再生部１０４は、録画部１０４ａおよび再生部１０４ｂにより構成されている。また、録画部１０４ａは、図示しない手動録画用バッファ、自動録画用バッファ、および、書込処理部を含み、再生部１０４ｂは、図示しない読出処理部、再生用バッファ、および復号部を含むように構成されている。
【００７５】
手動録画用バッファは、地上デジタル放送チューナ１０２から供給されるＭＰＥＧ２ストリームのうち、地上デジタル放送チューナ１０２が選局対象チャンネルとして選択したチャンネルを介して放送されるＭＰＥＧ２ストリームを蓄積するためのバッファである。手動録画される放送番組を表すＭＰＥＧ２ストリームは、この手動録画用バッファに蓄積される。
【００７６】
自動録画用バッファは、地上デジタル放送チューナ１０２から供給されるＭＰＥＧ２ストリームのうち、地上デジタル放送チューナ１０２が録画対象チャンネルとして選択したチャンネルを介して放送されるＭＰＥＧ２ストリームを蓄積するためのバッファである。自動録画される推奨番組を表すＭＰＥＧ２ストリームは、この自動録画用バッファに蓄積される。
【００７７】
書込処理部は、手動録画用バッファに蓄積されたＭＰＥＧ２ストリーム、および、自動録画用バッファに蓄積されたＭＰＥＧ２ストリームを、ＨＤドライブ１２１に書き込むための手段である。
【００７８】
ＣＰＵ１１８から手動録画開始指示が与えられると、録画部１０４ａに含まれる書込処理部は、手動録画用バッファに蓄積されたＭＰＥＧ２ストリームを手動録画用ディレクトリに書き込むためのライトコマンドをＨＤドライブ１２１に発行すると共に、手動録画用バッファに蓄積されたＭＰＥＧ２ストリームをＨＤドライブ１２１に転送する。書込処理部は、このような処理を、ＣＰＵ１１８から手動録画停止指示が与えられるまで繰り返す。これにより、放送番組の手動録画が実現される。
【００７９】
ここで、ＣＰＵ１１８が手動録画開始指示を与えるタイミングは、録画開始ボタンが押下されたことを示すリモコン信号を検出した時点である。一方、ＣＰＵ１１８が手動録画停止指示を与えるタイミングは、録画停止ボタンが押下されたことを示すリモコン信号を検出した時点である。ただし、録画停止ボタンが押下されたことを示すリモコン信号を検出した時点で手動録画停止指示を与える構成に代えて、手動録画の対象となる放送番組の放送終了時に録画停止指示を与える構成を採用してもよい。なお、手動録画の対象となる放送番組の放送終了時は、上述した放送番組テーブルを参照することにより特定可能である。
【００８０】
一方、ＣＰＵ１１８から自動録画開始指示が与えられると、録画部１０４ａに含まれる書込処理部は、自動録画用バッファに蓄積されたＭＰＥＧ２ストリームを自動録画用ディレクトリに書き込むためのライトコマンドをＨＤドライブ１２１に発行すると共に、自動録画用バッファに蓄積されたＭＰＥＧ２ストリームをＨＤドライブ１２１に転送する。書込処理部は、このような処理を、ＣＰＵ１１８から自動録画停止指示が与えられるまで繰り返す。これにより、推奨番組の自動録画が実現される。
【００８１】
ここで、ＣＰＵ１１８が自動録画開始指示を与えるタイミングは、自動録画の対象となる推奨番組の放送開始時である。一方、ＣＰＵ１１８が自動録画停止指示を与えるタイミングは、自動録画の対象となる推奨番組の放送終了時である。なお、自動録画の対象となる推奨番組の放送開始時および放送終了時は、上述した推奨番組テーブルを参照することによって特定可能である。
【００８２】
なお、ＣＰＵ１１８は、手動録画開始指示を書込処理部に与える際に、録画の対象となる放送番組のタイトル（ＥＰＧデータに基づいて特定可能）と録画開始時刻とを、その放送番組の番組ＩＤに関連付けて手動録画番組テーブルに記録する。また、手動録画停止指示を書込処理部に与える際に、録画停止時刻を、録画の対象となる放送番組の番組ＩＤに関連付けて手動録画番組テーブルに記録する。同様に、ＣＰＵ１１８は、自動録画指示を書込処理部に与える際に、録画の対象となる放送番組（推奨番組）のタイトルと録画開始時刻とを、その放送番組の番組ＩＤに関連付けて自動録画番組テーブルに記録する。また、自動録画停止指示を書込処理部に与える際に、録画停止時刻を、録画の対象となる放送番組（推奨番組）の番組ＩＤに関連付けて自動録画番組テーブルに記録する。手動録画番組テーブルおよび自動録画番組テーブルは、例えば、ＲＡＭ１１７に格納され、後述する録画番組リストを表示する際にＣＰＵ１１８によって参照される。
【００８３】
ところで、選局対象チャンネルとして録画対象チャンネルと同一のチャンネルが選択されている状態で、録画開始ボタンが押下される場合がある。すなわち、推奨番組を自動録画している最中に、その推奨番組の録画開始を指示する録画開始指示が与えられる場合がある。
【００８４】
このような場合、書込処理部は、推奨番組を表すＭＰＥＧ２ストリームを手動録画用ディレクトリと自動録画用ディレクトリとの両方に重複記録する。このような重複記録は、例えば、手動録画用バッファに蓄積されたＭＰＥＧ２ストリームをＨＤドライブ１２１の手動録画用ディレクトリに書き込む処理と、自動録画用バッファに蓄積されたＭＰＥＧ２ストリームをＨＤドライブ１２１の自動録画用ディレクトリに書き込む処理とを交互に繰り返すことによって実現することができる。
【００８５】
図３は、自動録画中の推奨番組の手動録画がユーザによって指示された場合の自動録画期間と手動録画期間とを示すタイミングチャートである。図３（ａ）は、録画停止ボタン押下時ｔ２に手動録画を停止する場合を示し、図３（ｂ）は、推奨番組の放送終了時ｔ３に手動録画を停止する場合を示す。何れの場合においても、自動録画は、推奨番組の最初（放送開始時ｔ０）から最後（放送終了時ｔ３）まで行われるのに対し、手動録画は推奨番組の途中（録画開始ボタン押下時ｔ１）から行われる。このような推奨番組の録画態様を、以下では「ダブル録画」と呼称する。
【００８６】
このように自動録画中の推奨番組の手動録画がユーザによって指示されるケースとしては、以下の２つが想定される。第１のケースは、視聴中の推奨番組が自動録画されていることを知らずに録画開始ボタンを押下するケースである。このケースでは、推奨番組の全部を後で視聴することをユーザが望んでいる可能性が高い。第２のケースは、視聴中の推奨番組が自動録画されていることを知りながら録画開始ボタンを押下するケースである。このケースでは、推奨番組の一部（録画開始ボタンを押下した後に放送される部分）を後で視聴することをユーザが望んでいる可能性が高い。
【００８７】
図３に示すダブル録画を行えば、第１のケースおよび第２のケースの双方において、ユーザのニーズに応えることができる。つまり、自動録画用ディレクトリに格納されたＭＰＥＧ２データを再生することによって、推奨番組の全部を後で視聴したいというユーザのニーズに応え、手動録画用ディレクトリに格納されたＭＰＥＧ２データを再生することによって、推奨番組の一部を後で視聴したいというユーザのニーズに応えることができる。
【００８８】
（再生機能）
テレビ１は、上述したようにＨＤドライブ１２１に録画された放送番組（以下では「録画番組」とも呼称する）を再生する再生機能を有している。以下、テレビ１が有する再生機能について、図４〜図６を参照して説明する。
【００８９】
図４は、再生対象とする録画番組をユーザに選択させるために、テレビ１がＬＣＤ１１０に表示する録画番組リストを例示する図である。図４（ａ）および図４（ｂ）に示すように、録画番組リスト４０には、手動録画タブ４１ａと自動録画タブ４１ｂとが設けられている。
【００９０】
ユーザが手動録画タブ４１ａを選択した場合、テレビ１は、手動録画された各録画番組（手動録画用ディレクトリに格納されたＭＰＥＧ２データに対応）のタイトルを、録画時間と共に録画番組リスト４０内に一覧表示する。図４（ａ）は、このときに表示される録画番組リスト４０を示す。図４（ａ）に示す録画番組リスト４０において注目すべきは、自動録画も行われた録画番組のタイトル（図４（ａ）の例では「映画１」）が、手動録画のみが行われた他の録画番組のタイトルと識別可能に表示されている点である。これにより、ユーザは、どの録画番組が自動録画されているのか、すなわち、どの録画番組が最初から再生可能であるかを容易に認識することができる。なお、「自動録画も行われた録画番組」とは、ダブル録画された推奨番組のことに他ならない。
【００９１】
なお、図４（ａ）に示した例では、自動録画も行われた録画番組のタイトルに特別なアイコン（図４（ａ）の例では笑顔のアイコン）を付すことによって、これを手動録画のみが行われた録画番組のタイトルと区別する構成を採用しているが、これに限定されるものではない。すなわち、例えば、自動録画も行われた録画番組のタイトルの表示態様（文字色、背景色、フォント、ウェイトなど）を特別なものにすることによって、これを手動録画のみが行われた録画番組のタイトルと区別する構成を採用してもよい。
【００９２】
一方、ユーザが自動録画タブ４１ｂを選択した場合、テレビ１は、自動録画された各録画番組（自動録画用ディレクトリに格納されたＭＰＥＧ２データに対応）のタイトルを、録画時間と共に録画番組リスト４０内に一覧表示する。図４（ｂ）は、このときに表示される録画番組リスト４０を示す。図４（ｂ）に示す録画番組リスト４０において注目すべきは、手動録画も行われた録画番組のタイトル（図４（ｂ）の例では「映画１」）が、自動録画のみが行われた他の録画番組のタイトルと識別可能に表示されている点である。これにより、ユーザは、どの録画番組が途中から再生可能であるかを容易に認識することができる。なお、「手動録画も行われた録画番組」とは、ダブル録画された推奨番組のことに他ならない。
【００９３】
なお、図４（ｂ）に示した例では、手動録画も行われた録画番組のタイトルに特別なアイコン（図４（ｂ）の例では笑顔のアイコン）を付すことによって、これを自動録画のみが行われた録画番組のタイトルと区別する構成を採用しているが、これに限定されるものではない。すなわち、例えば、手動録画も行われた録画番組のタイトルの表示態様（文字色、背景色、フォント、ウェイトなど）を特別なものにすることによって、これを自動録画のみが行われた録画番組のタイトルと区別する構成を採用してもよい。
【００９４】
図５は、録画番組リスト４０内に一覧表示されたタイトルの何れかが選択された場合にテレビ１がＬＣＤ１１０に表示するダイアログを例示する図である。
【００９５】
ユーザが図４（ａ）に示す録画番組リスト４０からダブル録画された推奨番組のタイトルを選択した場合、テレビ１は、図５（ａ）に示すダイアログ５０を表示する。このダイアログ５０には、その番組の自動録画が行われていること、および／または、その番組を最初から再生可能であることを示すメッセージが含まれる。また、このダイアログ５０には、手動録画用ディレクトリに格納されたＭＰＥＧ２データを利用してその番組を途中から再生することを指示するための手動録画番組ボタンと、自動録画用ディレクトリに格納されたＭＰＥＧ２データを利用してその番組を最初から再生することを指示するための自動録画番組ボタンとが設けられている。
【００９６】
一方、ユーザが図４（ｂ）に示す録画番組リスト４０からダブル録画された推奨番組のタイトルを選択した場合、テレビ１は、図５（ｂ）に示すダイアログ５０を表示する。このダイアログ５０には、その番組の手動録画が行われていること、および／または、その番組が途中（録画ボタン押下時に録画された箇所）から再生可能であることを示すメッセージが含まれる。また、このダイアログ５０には、自動録画用ディレクトリに格納されたＭＰＥＧ２データを利用してその番組を最初から再生することを指示するための自動録画番組ボタンと、手動録画用ディレクトリに格納されたＭＰＥＧ２データを利用してその番組を途中から再生することを指示するための手動録画番組ボタンとが設けられている。
【００９７】
図６は、テレビ１が録画番組を再生する再生方法を示すフローチャートである。図６に示すフローチャートに含まれる各ステップについて説明すれば以下のとおりである。
【００９８】
テレビ１は、図４に示す録画番組リスト４０を表示し、再生対象とする録画番組をユーザに選択させる（ステップＳ１）。
【００９９】
具体的には、図４に示す録画番組リスト４０を表示するためのＯＳＤデータを生成し、生成したＯＳＤデータをＯＳＤ生成部１０８に提供する。そして、ＯＳＤ生成部１０８が、ＣＰＵ１１８から取得したＯＳＤデータから録画番組リスト４０をレンダリングし、レンダリングした録画番組リスト４０をＬＣＤ１１０にＯＳＤ表示する。なお、ＣＰＵ１１８は、上述した手動録画番組テーブルを参照することによって、図４（ａ）に示した録画番組リスト４０を表示するためのＯＳＤデータを生成することができる。また、上述した自動録画番組テーブルを参照することによって、図４（ｂ）に示した録画番組リスト４０を表示するためのＯＳＤデータを生成することができる。録画番組リスト４０がＬＣＤ１１０に表示された状態で、ＣＰＵ１１８は、ＬＣＤ１１０上に表示された録画番組リスト４０に含まれるタイトルの中から、再生対象とする録画番組のタイトルを選択するユーザ操作を待ち受ける。
【０１００】
次に、テレビ１は、ステップＳ１にて選択されたタイトルに対応する録画番組がダブル録画された推奨番組であるか否かを判定する（ステップＳ２）。
【０１０１】
具体的には、ステップＳ１にて選択されたタイトルが図４（ａ）に示す録画番組リスト４０の中から選択されたものである場合、ＣＰＵ１１８は、ステップＳ１にて選択されたタイトル（または、手動録画番組テーブルにおいてそのタイトルに関連付けられた番組ＩＤ）が自動録画番組テーブルに登録されているか否かをチェックする。そして、ステップＳ１にて選択されたタイトルが自動録画番組テーブルに登録されていれば、ダブル録画された推奨番組であると判定し、そうでなければ、ダブル録画された推奨番組でないと判定する。一方、ステップＳ１にて選択されたタイトルが図４（ｂ）に示す録画番組リスト４０の中から選択されたものである場合、ＣＰＵ１１８は、ステップＳ１にて選択されたタイトル（または、自動録画番組テーブルにおいてそのタイトルに関連付けられた番組ＩＤ）が手動録画番組テーブルに登録されているか否かをチェックする。そして、ステップＳ１にて選択されたタイトルが手動録画番組テーブルに登録されていれば、ダブル録画された推奨番組であると判定し、そうでなければ、ダブル録画された推奨番組でないと判定する。
【０１０２】
ステップＳ１にて選択されたタイトルがダブル録画された推奨番組のものでない場合（ステップＳ２においてＮｏ）、テレビ１は、ステップＳ１にて選択されたタイトルに対応する録画番組を再生する（ステップＳ３）。
【０１０３】
具体的には、ステップＳ１にて選択されたタイトルが図４（ａ）に示す録画番組リスト４０の中から選択されたものである場合、ＣＰＵ１１８は、ＨＤドライブ１２１の手動録画用ディレクトリに蓄積されたＭＰＥＧ２データの中から、ステップＳ１にて選択されたタイトルに対応する録画番組を表すＭＰＥＧ２データを特定し、特定したＭＰＥＧ２データを再生部１０４ｂに通知する。一方、ステップＳ１にて選択されたタイトルが図４（ｂ）に示す録画番組リスト４０の中から選択されたものである場合、ＣＰＵ１１８は、ＨＤドライブ１２１の自動録画用ディレクトリに蓄積されたＭＰＥＧ２データの中から、ステップＳ１にて選択されたタイトルに対応する録画番組を表すＭＰＥＧ２データを特定し、特定したＭＰＥＧ２データを再生部１０４ｂに通知する。そして、再生部１０４ｂは、通知されたＭＰＥＧ２データをＨＤドライブ１２１から読み出し、読み出したＭＰＥＧ２データから映像信号および音声信号を復号する。
【０１０４】
ステップＳ３においては、ステップＳ１にて選択されたタイトルが自動録画された録画番組のものであれば、自動録画用ディレクトリに格納されたＭＰＥＧ２データに基づいて、選択されたタイトルに対応する録画番組が最初（放送開始時に録画された箇所）から再生され、ステップＳ１にて選択されたタイトルが手動録画された録画番組のものであれば、手動録画用ディレクトリに格納されたＭＰＥＧ２データに基づいて、選択されたタイトルに対応する録画番組が途中（録画開始ボタンが押下された時点で録画された箇所）から再生されることになる。
【０１０５】
ステップＳ１にて選択されたタイトルがダブル録画された推奨番組のものである場合（ステップＳ３においてＹｅｓ）、テレビ１は、図５に示すダイアログ５０を表示し、自動録画された方（以下「自動録画番組」とも呼称する）を再生するか手動録画された方（以下「手動録画番組」とも呼称する）を再生するかをユーザに選択させる（ステップＳ４）。
【０１０６】
具体的には、ＣＰＵ１１８が、図５に示すダイアログ５を表示するためのＯＳＤデータを生成し、生成したＯＳＤデータをＯＳＤ生成部１０８に提供する。この際、ステップＳ１にて選択されたタイトルが図４（ａ）に示す録画番組リスト４０の中から選択されたものである場合には、図５（ａ）に示すダイアログ５０を表示するためのＯＳＤデータを生成する。一方、ステップＳ１にて選択されたタイトルが図４（ｂ）に示す録画番組リスト４０の中から選択されたものである場合には、図５（ｂ）に示すダイアログ５０を表示するためのＯＳＤデータを生成する。そして、ＯＳＤ生成部１０８が、ＣＰＵ１１８から取得したＯＳＤデータからダイアログ５０をレンダリングし、レンダリングしたダイアログ５０をＬＣＤ１１０にＯＳＤ表示する。ダイアログ５０がＬＣＤ１１０に表示された状態で、ＣＰＵ１１８は、ＬＣＤ１１０上に表示されたダイアログ５０において自動録画番組ボタンまたは手動録画番組ボタンを押下するユーザ操作を待ち受ける。
【０１０７】
ステップＳ４にてユーザが手動録画番組の再生を選択した場合、テレビ１は、ステップＳ１にて選択されたタイトルに対応する録画番組を途中（録画開始ボタンが押下された時点で録画された箇所）から再生する（ステップＳ５）。
【０１０８】
具体的には、ＣＰＵ１１８が、ＨＤドライブ１２１の手動録画用ディレクトリに蓄積されたＭＰＥＧ２データの中から、ステップＳ１にて選択されたタイトルに対応する録画番組を表すＭＰＥＧ２データを特定し、特定したＭＰＥＧデータを再生部１０４ｂに通知する。再生部１０４ｂは、通知されたＭＰＥＧ２データをＨＤドライブ１２１から読み出し、読み出したＭＰＥＧ２データから映像信号および音声信号を復号する。
【０１０９】
ステップＳ４にてユーザが自動録画番組の再生を選択した場合、テレビ１は、ステップＳ１にて選択されたタイトルに対応する録画番組を、最初（放送開始時に録画された箇所）から再生する（ステップＳ６）。
【０１１０】
具体的には、ＣＰＵ１１８が、ＨＤドライブ１２１の自動録画用ディレクトリに蓄積されたＭＰＥＧ２データの中から、ステップＳ１にて選択されたタイトルに対応する録画番組を表すＭＰＥＧ２データを特定し、特定したＭＰＥＧデータを再生部１０４ｂに通知する。再生部１０４ｂは、通知されたＭＰＥＧ２データをＨＤドライブ１２１から読み出し、読み出したＭＰＥＧ２データから映像信号および音声信号を復号する。
【０１１１】
（削除機能）
また、テレビ１は、自動録画番組又は手動録画番組を削除する指示を受け付ける削除ボタンが押下されたことを示すリモコン信号を検出すると、自動録画番組及び手動録画番組の少なくとも何れか一方を削除する。
【０１１２】
ここでは、ダブル録画された番組のうち、自動録画番組が選択された状態で削除ボタンが押下された場合の削除処理を例に挙げて説明する。まず、削除ボタンが押下されたことを示すリモコン信号を検出すると、ＣＰＵ１１８は、自動録画番組を削除するか、自動録画番組及び手動録画番組を削除するか否かを問い合わせる削除選択画面のＯＳＤデータを生成し、生成したＯＳＤデータをＯＳＤ生成部１０８に提供する。そして、ＯＳＤ生成部１０８が、ＣＰＵ１１８から取得したＯＳＤデータから削除選択画面をレンダリングし、レンダリングした削除選択画面をＬＣＤ１１０にＯＳＤ表示する。
【０１１３】
ＣＰＵ１１８は、削除選択画面に従って行われるユーザの選択操作をリモコン信号によって受け付ける。ユーザが自動録画番組の削除を選択すると、ＣＰＵ１１８は、ＨＤドライブ１２１の自動録画用ディレクトリに蓄積されたＭＰＥＧ２データの中から、選択された自動録画番組に対応する録画番組を表すＭＰＥＧ２データを特定し、特定したＭＰＥＧデータを削除するようＨＤドライブ１２１に通知する。
【０１１４】
ユーザが自動録画番組及び手動録画番組の削除を選択すると、ＣＰＵ１１８は、まず、ＨＤドライブ１２１の自動録画用ディレクトリに蓄積されたＭＰＥＧ２データの中から選択された手動録画番組に対応する録画番組を表すＭＰＥＧ２データを特定する。次に、ＣＰＵ１１８は、手動録画用ディレクトリに蓄積されたＭＰＥＧ２データの中から選択された、自動録画番組と同時にダブル録画された手動録画番組に対応する録画番組を表すＭＰＥＧ２データを特定する。ＣＰＵ１１８は、特定した２つのＭＰＥＧデータを削除するようＨＤドライブ１２１に通知する。
【０１１５】
（変形例１）
自動録画中の推奨番組の手動録画がユーザによって指示された場合、自動録画と手動録画とを並列的に実行する構成（ダブル録画）について説明したが、本発明はこれに限定されるものではない。すなわち、自動録画と手動録画とを並列的に実行する構成（ダブル録画）に代えて、手動録画を実行している間、自動録画を一時停止する構成（リレー録画）を採用してもよい。後者の構成について、以下、図７〜図８を参照して説明する。
【０１１６】
図７は、自動録画中の推奨番組の手動録画がユーザによって指示された場合の自動録画期間と手動録画期間とを示すタイミングチャートである。図７（ａ）は、録画停止ボタン押下時ｔ２に手動録画を停止する場合を示し、図７（ｂ）は、推奨番組の放送終了時ｔ３に自動録画を停止する場合を示す。何れの場合においても、放送開始時ｔ０から手動録画開始時ｔ１までの期間で自動録画が行われる。また、図７（ａ）に示す録画停止ボタン押下時ｔ２で手動録画を停止する場合には、手動録画停止時ｔ２から放送終了時ｔ３までの期間でも自動録画が行われる。
【０１１７】
このような構成を採用することによって、手動録画と自動録画とが重複して行われることによる記録容量の浪費をなくすことができる。
【０１１８】
手動録画を実行している間、自動録画を一時停止する構成を採用する場合に好適な、自動録画番組の再生方法（リレー再生）を表すフローチャートを図８に示す。図６に示すフローチャートにおけるステップＳ６として、図８に示す自動録画番組の再生方法を採用することによって、図６に示すフローチャートは図７（ａ）に示す変形例に好適なものとなる。なお、ステップＳ１にて表示する録画番組リスト４０およびステップＳ４にて表示するダイアログ５０は、本変形例においても、図４〜図５に示したものを用いればよい。
【０１１９】
図８に示すフローチャートに含まれる各ステップについて説明すれば以下のとおりである。
【０１２０】
ＣＰＵ１１８は、ＨＤドライブ１２１の自動録画用ディレクトリに蓄積されたＭＰＥＧ２データの中から、再生対象とする録画番組を表すＭＰＥＧ２データを特定し、特定したＭＰＥＧ２データを再生部１０４ｂに通知する。そして、再生部１０４ｂは、通知されたＭＰＥＧ２データをＨＤドライブ１２１から読み出し、読み出したＭＰＥＧ２データから映像信号および音声信号を復号する（ステップＳ６１）。
【０１２１】
再生部１０４ｂが自動録画番組の再生を開始すると、ＣＰＵ１１８は、再生部１０４ｂによる自動録画番組の再生時間ｔを監視する（ステップＳ６２）。そして、再生時間ｔが放送開始時刻ｔ１と手動録画開始時刻ｔ２との時間差Ｔ（図８参照）に達すると（ステップＳ６２においてＮｏ）、ＣＰＵ１１８は、ＨＤドライブ１２１の手動録画用ディレクトリに蓄積されたＭＰＥＧ２データの中から、再生対象とする録画番組を表すＭＰＥＧ２データを特定し、特定したＭＰＥＧ２データを再生部１０４ｂに通知する。そして、再生部１０４ｂは、通知されたＭＰＥＧ２データをＨＤドライブ１２１から読み出し、読み出したＭＰＥＧ２データから映像信号および音声信号を復号する（ステップＳ６３）。
【０１２２】
また、ＣＰＵ１１８は、自動録画番組をリレー再生する際に、リレー再生される手動録画番組に対応するＭＰＥＧ２データを、手動録画ディレクトリから自動録画ディレクトリに移動させることによって、自動録画番組と手動録画番組とを合わせた１つの録画番組としてもよい。なお、リレー再生される手動録画番組に対応するＭＰＥＧ２データを、手動録画ディレクトリから自動録画ディレクトリに移動させる替わりに、自動録画ディレクトリに複製してもよい。
【０１２３】
また、テレビ１は、削除ボタンが押下されたことを示すリモコン信号を検出すると、自動録画番組及び手動録画番組の少なくとも何れか一方を削除する。
【０１２４】
ここでは、リレー録画された番組のうち、自動録画番組が選択された状態で削除ボタンが押下された場合の削除処理を例に挙げて説明する。まず、削除ボタンが押下されたことを示すリモコン信号を検出すると、ＣＰＵ１１８は、自動録画番組を削除するか、自動録画番組及び手動録画番組を削除するか否かを問い合わせる画面削除選択画面のＯＳＤデータを生成し、生成したＯＳＤデータをＯＳＤ生成部１０８に提供する。そして、ＯＳＤ生成部１０８が、ＣＰＵ１１８から取得したＯＳＤデータから削除選択画面をレンダリングし、レンダリングした削除選択画面をＬＣＤ１１０にＯＳＤ表示する。
【０１２５】
以降、ダブル録画された番組の削除処理と同様の処理を行うため、説明を省略する。
【０１２６】
（変形例２）
自動録画中の推奨番組の手動録画がユーザによって指示された場合、自動録画によって得られるＭＰＥＧ２データとは別に、手動録画によって得られるＭＰＥＧ２データを記録する構成を説明したが、本発明はこれに限定されない。すなわち、手動録画によって得られるＭＰＥＧ２データを記録する代わりに、手動録画の開始トリガーとなる録画開始指示が与えられた時刻、および／または、手動録画の停止トリガーとなる録画停止指示が与えられた時刻を記録する構成を採用しても。後者の構成について、以下、図９〜図１０を参照して説明する。
【０１２７】
図９は、自動録画中の推奨番組の手動録画がユーザによって指示された場合の自動録画期間および記録時刻を示すタイミングチャートである。
【０１２８】
図９（ａ）は、録画開始指示が与えられたタイミング、すなわち、録画開始ボタン押下時ｔ１、および、録画停止指示が与えられたタイミング、すなわち、録画停止ボタン押下時ｔ２を記録する場合を示し、図９（ｂ）は、録画開始ボタン押下時ｔ１のみを記録する場合を示す。なお、録画開始ボタン押下時ｔ１および録画停止ボタン押下時ｔ２は、例えば、ｘｘ時ｘｘ分ｘｘ秒というような絶対時刻で記録してもよいし、放送開始時ｔ０を基準とする相対時刻で記録してもよい。また、録画開始ボタン押下時ｔ１および録画停止ボタン押下時ｔ２は、例えば、録画の対象となる放送番組の番組ＩＤと関連付けて手動録画番組テーブルに記録しておけばよい。
【０１２９】
手動録画によって得られるＭＰＥＧ２データを記録しなくても、図９に示すように、録画開始ボタン押下時ｔ１および／または録画停止ボタン押下時ｔ２を記録しておけば、手動録画によって得られるＭＰＥＧ２データを記録する場合と同様に、推奨番組を途中から（録画開始時ｔ１に録画された箇所から）再生することができる。
【０１３０】
録画開始ボタン押下時ｔ１を記録しておく構成を採用する場合に好適な、手動録画番組の再生方法を表すフローチャートを図１０に示す。図６に示すフローチャートにおけるステップＳ５として、図１０に示す手動録画番組の再生方法を採用することによって、図６に示すフローチャートは図９（ａ）に示す変形例に好適なものとなる。なお、ステップＳ１にて表示する録画番組リスト４０およびステップＳ４にて表示するダイアログ５０は、本変形例においても、図４〜図５に示したものを用いればよい。
【０１３１】
図１０に示すフローチャートに含まれる各ステップについて説明すれば以下のとおりである。
【０１３２】
ＣＰＵ１１８は、手動録画番組テーブルに登録された録画開始ボタン押下時の中から、再生対象とする放送番組の番組ＩＤに関連付けられた録画開始ボタン押下時ｔ１を読み出す（ステップＳ５１）。ここでは、録画開始ボタン押下時として、再生対象とする放送番組の放送開始時を基準とする相対時刻で記録された録画ボタン押下時ｔ１[秒]を読み出すものとする。
【０１３３】
次に、ＣＰＵ１１８は、ＨＤドライブ１２１の自動録画用ディレクトリに蓄積されたＭＰＥＧ２データの中から、再生対象とする放送番組を表すＭＰＥＧ２データを特定し、特定したＭＰＥＧ２データを再生部１０４ｂに通知する。この際、ＣＰＵ１１８は、再生対象とする放送番組をｔ１秒目から再生するよう再生部１０４ｂに指示する。そして、再生部１０４ｂは、通知されたＭＰＥＧ２データをＨＤドライブ１２１から読み出し、読み出したＭＰＥＧ２データに基づいて、再生対象とする放送番組をｔ１秒目から再生する（ステップＳ５２）。
【０１３４】
また、テレビ１は、削除ボタンが押下されたことを示すリモコン信号を検出すると、自動録画番組及び録画開始ボタン押下時以降に自動録画された録画番組の少なくとも何れか一方を削除する。
【０１３５】
ここでは、自動録画番組が選択された状態で削除ボタンが押下された場合の削除処理を例に挙げて説明する。ＣＰＵ１１８は、削除ボタンが押下されたことを示すリモコン信号を検出すると、録画番組を全て削除するか、録画開始ボタン押下時以前に自動録画された録画番組を削除するか否かを問い合わせる削除選択画面のＯＳＤデータを生成し、生成したＯＳＤデータをＯＳＤ生成部１０８に提供する。そして、ＯＳＤ生成部１０８が、ＣＰＵ１１８から取得したＯＳＤデータから削除選択画面をレンダリングし、レンダリングした削除選択画面をＬＣＤ１１０にＯＳＤ表示する。
【０１３６】
以降、ダブル録画された番組の削除処理と同様の処理を行うため、説明を省略する。
【０１３７】
（プログラム、記憶媒体）
テレビ１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１３８】
後者の場合、テレビ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１の制御プログラムのプログラムコード（実行形式プログラム、中間コードプログラム、ソースプログラム）をコンピュータで読み取り可能に記録した記録媒体を、テレビ１に供給し、そのコンピュータ（またはＣＰＵやＭＰＵ）が記録媒体に記録されているプログラムコードを読み出し実行することによっても、達成可能である。
【０１３９】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１４０】
また、上記プログラムコードは、通信ネットワークを介してテレビ１に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１４１】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０１４２】
本発明は、放送番組を録画および再生する録画再生装置一般に適用することができる。録画再生機能を有するテレビは、その一例である。
【符号の説明】
【０１４３】
１        テレビ
２        ＨＤドライブ
１０１    外部入力端子
１０２    地上デジタル放送チューナ
１０３    衛星放送チューナ
１０４    録画再生部
１０４ａ  録画部（自動録画手段、手動録画手段）
１０４ｂ  再生部（再生手段）
１０５    ＢＤドライブ
１０６    映像セレクタ
１０７    映像処理回路
１０８    ＯＳＤ生成部（通知手段、削除通知手段）
１０９    ＬＣＤコントローラ
１１０    ＬＣＤ
１１１    音声セレクタ
１１２    音声処理回路
１１３    アンプ
１１４    スピーカ
１１５    ＵＳＢインターフェース
１１６    ＲＯＭ
１１７    ＲＡＭ
１１８    ＣＰＵ（結合手段、削除手段）
１１９    赤外線受光部
１２０    カメラ
１２１    ＨＤドライブ
【図１】
0005636245.tif 000003
【図２】
0005636245.tif 000004
【図３】
0005636245.tif 000005
【図４】
0005636245.tif 000006
【図５】
0005636245.tif 000007
【図６】
0005636245.tif 000008
【図７】
0005636245.tif 000009
【図８】
0005636245.tif 000010
【図９】
0005636245.tif 000011
【図１０】
0005636245.tif 000012